(57)【特許請求の範囲】
【請求項１】
２枚の金属板の間に芯材を介装したサンドイッチパネルの一方の端部に凸部を設けると共に他方の端部に凹部を設け、隣接する２枚のサンドイッチパネルを前記凸部と前記凹部とが嵌まることにより接続するサンドイッチパネルの接続構造において、
前記凹部の屋外側の側壁の屋内側に、被係止用凹部を備え、
前記凸部の屋外側に、係止用凸部を備え、
前記係止用凸部と前記被係止用凹部とは、
前記凸部と前記凹部とが嵌まる位置にあるときに、前記係止用凸部と前記被係止用凹部とが前記サンドイッチパネルの厚み方向に距離をおいて対向し、かつ、前記嵌まる位置から前記凸部が屋外側にずれたときに、前記被係止用凹部に前記係止用凸部が係止されるように、構成されていることを特徴とするサンドイッチパネルの接続構造。
【請求項２】
２枚の金属板の間に芯材を介装したサンドイッチパネルの一方の端部に凸部を設けると共に他方の端部に凹部を設け、隣接する２枚のサンドイッチパネルを前記凸部と前記凹部とが嵌まることにより接続するサンドイッチパネルの接続構造において、
前記凹部の屋内側の側壁の屋外側に、係止用凸部を備え、
前記凸部の屋内側に、被係止用凹部を備え、
前記係止用凸部と前記被係止用凹部とは、
前記凸部と前記凹部とが嵌まる位置にあるときに、前記係止用凸部と前記被係止用凹部とが前記サンドイッチパネルの厚み方向に距離をおいて対向し、かつ、前記嵌まる位置から前記凹部が屋外側にずれたときに、前記被係止用凹部に前記係止用凸部が係止されるように、構成されていることを特徴とするサンドイッチパネルの接続構造。
【請求項３】
前記凹部の屋外側の側壁の屋外側面に、この側壁が屋外側に倒れることを防止するための補強片が取り付けられていることを特徴とする請求項１に記載のサンドイッチパネルの接続構造。
【発明の詳細な説明】
【技術分野】
【０００１】
本発明は、外壁等の壁を形成する際に用いられるサンドイッチパネルの接続構造に関する。
【背景技術】
【０００２】
従来より、隣接する２枚のサンドイッチパネルを凸部と凹部とが嵌まることによって接続する接続構造が、提案されている。
【０００３】
例えば、上下に隣接する２枚のサンドイッチパネルを凸部と凹部とが嵌まることによって接続する接続構造が開示されている特許文献１では、サンドイッチパネルＰは、図５に示すように、二枚の金属板１，２の間に芯材３を介装することによって形成されている。このサンドイッチパネルＰの上端部には凹部６が設けられており、サンドイッチパネルＰの下端部には凸部５が設けられている。凹部６の両側壁６０，６１は、二枚の金属板１，２の各上端部を下方に向かって折り返し屈曲して上下に細長くした屋外側折り返し部１３，２１で構成される。
【０００４】
上下に隣接する２枚のサンドイッチパネルＰ１，Ｐ２は、この凸部５と凹部６とが嵌まることで接続される。
【先行技術文献】
【特許文献】
【０００５】
【特許文献１】特開平０８−３０２９６３号公報
【発明の概要】
【発明が解決しようとする課題】
【０００６】
しかし、上述のように凸部５と凹部６とが嵌まることによって接続したサンドイッチパネルＰ１，Ｐ２では、負の風荷重がかかった場合に、上側のサンドイッチパネルＰ１の凸部５が屋外側上方へと移動する方向（図５の矢印の方向）に力がかかることがある。
【０００７】
この際、凸部５が下側のサンドイッチパネルＰ２の凹部６の屋外側の側壁６０を屋外側に押し倒しながら乗り越えて、２枚のサンドイッチパネルＰ１，Ｐ２の凸部５と凹部６とが嵌まることによる接続が外れてしまうおそれがある。
【０００８】
そこで、上記事情を鑑みて、本発明は、負の風荷重がかかった場合でも、凸部と凹部とが嵌まることによる接続が外れにくいサンドイッチパネルの接続構造を提案することを課題とする。
【課題を解決するための手段】
【０００９】
上記課題を解決するための本発明は、２枚の金属板の間に芯材を介装したサンドイッチパネルの一方の端部に凸部を設けると共に他方の端部に凹部を設け、隣接する２枚のサンドイッチパネルを前記凸部と前記凹部とが嵌まることにより接続するサンドイッチパネルの接続構造において、前記凹部の屋外側の側壁の屋内側に、被係止用凹部を備え、前記凸部の屋外側に、係止用凸部を備え、前記係止用凸部と前記被係止用凹部とは、前記凸部と前記凹部とが嵌まる位置にあるときに、前記係止用凸部と前記被係止用凹部とが前記サンドイッチパネルの厚み方向に距離をおいて対向し、かつ、前記嵌まる位置から前記凸部が屋外側にずれたときに、前記被係止用凹部に前記係止用凸部が係止されるように、構成されていることを特徴とする。
【００１０】
また、上記課題を解決するための本発明は、２枚の金属板の間に芯材を介装したサンドイッチパネルの一方の端部に凸部を設けると共に他方の端部に凹部を設け、隣接する２枚のサンドイッチパネルを前記凸部と前記凹部とが嵌まることにより接続するサンドイッチパネルの接続構造において、前記凹部の屋内側の側壁の屋外側に、係止用凸部を備え、前記凸部の屋内側に、被係止用凹部を備え、前記係止用凸部と前記被係止用凹部とは、前記凸部と前記凹部とが嵌まる位置にあるときに、前記係止用凸部と前記被係止用凹部とが前記サンドイッチパネルの厚み方向に距離をおいて対向し、かつ、前記嵌まる位置から前記凹部が屋外側にずれたときに、前記被係止用凹部に前記係止用凸部が係止されるように、構成されていることを特徴とする。
【００１１】
また、前記凹部の屋外側の側壁の屋外側面に、この側壁が屋外側に倒れることを防止するための補強片を取り付けることが好ましい。
【発明の効果】
【００１２】
本発明のサンドイッチパネルの接続構造は、負の風荷重がかかった場合でも、凸部と凹部とが嵌まることによる接続が外れにくい。
【図面の簡単な説明】
【００１３】
【図１】本発明の第一実施形態のサンドイッチパネルの接続構造を示す断面図である。
【図２】同上の接続構造で接続されたサンドイッチパネルに、負の風荷重がかかった状態を説明する説明図である。
【図３】（ａ）は本発明の第二実施形態のサンドイッチパネルの接続構造を示す断面図であり、（ｂ）は同上の接続構造に用いられる補強片を示す斜視図である。
【図４】本発明の第三実施形態のサンドイッチパネルの接続構造を示す断面図である。
【図５】従来の接続構造で接続されたサンドイッチパネルに、負の風荷重がかかった状態を説明する説明図である。
【発明を実施するための形態】
【００１４】
本発明を添付図面に示す実施形態に基づいて説明する。本実施形態のサンドイッチパネルＳは、外壁パネルなどの建材として用いられる。
【００１５】
第一実施形態のサンドイッチパネルＳは、図１に示すように、二枚の金属板１，２の間に芯材３を介在させ、この二枚の金属板１，２で芯材３を挟持することによって形成されている。二枚の金属板１，２はそれぞれ、接着剤を介して芯材３に取り付けられる。サンドイッチパネルＳは、一方の端部に凸部５を設けると共に他方の端部に凹部６を設けたものである。この凸部５と凹部６とが嵌まることで隣接する２枚のサンドイッチパネルＳは接続される。サンドイッチパネルＳは、胴縁等の下地材１００に固定されて、外壁等の壁を形成する。なお、サンドイッチパネルＳは、凸部５と凹部６とを上下の端部に備えるものであってもよいし、あるいは、左右の端部に備えるものであってもよい。以下においては、凸部５と凹部６とを上下の端部に備えるサンドイッチパネルＳを一例として説明する。そして、図１に示す状態を基準とし、下地材１００に対してサンドイッチパネルＳが配置される側を屋外側とし、その逆側を屋内側とし、上下方向をサンドイッチパネルＳの幅方向とし、この幅方向に直交する方向をサンドイッチパネルＳの長さ方向として説明を行う。
【００１６】
金属板１，２は、厚みが０．２５〜１．６ｍｍ程度の薄板材である。金属板１，２としては、例えば、Ａｌ、Ｆｅ、Ｃｕ、ステンレス鋼等の各種金属板、アルミニウム−亜鉛合金メッキ鋼板、カラー鋼板、ホーロー鋼板、フッ素樹脂塗装鋼板、クラッド鋼板、サンドイッチ鋼板等の一種をプレス成形、押出成形、ロール成形等によって成形したものである。
【００１７】
サンドイッチパネルＳの屋外側の金属板１（以下「屋外側金属板１」という）は、図１に示すように、長さ方向の略全長に亘って一定の断面形状を有するものである。屋外側金属板１は、平板状の化粧面部１０と、化粧面部１０の上端部に連設された凹段部１２と、凹段部１２の上端部に連設された屋外側折り返し部１３と、化粧面部１０の下端部に連設された折り返しスカート部１１と、折り返しスカート部１１に連設された凸部側壁部１４とを備えている。凹段部１２と屋外側折り返し部１３は化粧面部１０よりも屋内側に凹んでおり、凹段部１２と屋外側折り返し部１３の屋外側の空間は、折り返しスカート部１１が収納される収納部１５となっている。また、凹段部１２の上部には、さらに屋内側へ凹んだ第二凹段部１６が形成されており、この第二凹段部１６の屋外側の空間は、ビスや釘等の固定具４の頭部４０が収納される頭部収納凹部１７となっている。
【００１８】
屋外側折り返し部１３は、第二凹段部１６の上端部から上方に向けて突出し、その先端を屋内側に折り曲げ、その先端を下方に向けて突出させた、折り返し形状のものである。この屋外側折り返し部１３の屋内側の下部には、屋外側に凹んだ被係止用凹部８が形成されている。この屋外側折り返し部１３の第二凹段部１６と連続していない側の端縁からは、補強部１８が屋内側に略水平に突出している。
【００１９】
折り返しスカート部１１は、化粧面部１０の下端から下方に向けて突出し、その先端を屋内側に折り曲げ、その先端を上方に向けて突出させた、上下方向に細長い断面略Ｕ字状のものである。この折り返しスカート部１１には、屋内側に略水平に突出する略水平部７２を介して凸部側壁部１４が連設されている。凸部側壁部１４は、屋内側ほど下方に位置するように傾斜させた傾斜部７０と、傾斜部７０の下端から屋外側に突出し、その先端を下側に折り曲げ、その先端を屋内側に向けて突出させた突出部７１とを備えている。つまり、凸部側壁部１４の下端部には、屋外側に突出する突出部７１からなる係止用凸部７が形成されている。なお、この凸部側壁部１４の略水平部７２と連続していない側の端縁は、屋内側に略水平に突出する補強部１９となっている。
【００２０】
サンドイッチパネルＳの屋内側の金属板２（以下「屋内側金属板２」という）は、長さ方向の略全長に亘って一定の断面形状を有するものである。屋内側金属板２は、図１に示すように、平板部２０と、平板部２０の上端部に連設された屋内側折り返し部２１と、屋内側折り返し部２１に連設された補強部２２と、平板部２０の下端部に連設された凹段部２３と、凹段部２３に連接された補強部２４とを備えて形成されている。凹段部２３は平板部２０よりも屋外側に凹んでおり、凹段部２３の屋内側の空間は屋内側折り返し部２１が収納される収納部２５となっている。補強部２２は屋内側折り返し部２１の屋外側下端部から屋外側に略水平に突出しており、補強部２４は、凹段部２３の下端部から屋外側に略水平に突出している。屋内側折り返し部２１は、屋外側折り返し部１３と略同じ突出長さ（上下長さ）で形成されている。
【００２１】
芯材３としては、ロックウールやグラスウールやセラミックファイバーなどの無機繊維体及びウレタンフォームやフェノールフォームなどの樹脂発泡体等を例示することができる。特に、芯材３は断熱性能と共に耐火性能をも有するロックウールやグラスウールやフェノールフォームを用いるのが好ましい。また、芯材３は角材のようなブロック状に形成することができると共に芯材３は密度が通常２０〜４００ｋｇ／ｍ３のものを用いることができるが、１２０〜２００ｋｇ／ｍ３のものを用いるのが好ましい。
【００２２】
芯材３のうち、凹部６の底部と凸部５に配置される端部芯材３０としては、硬質であり、且つ耐火性を有する石膏ボードや珪酸カルシウム等の無機質材料が好適に用いられる。なお、端部芯材３０は、上述した芯材３と同じものであってもよい。
【００２３】
本実施形態のサンドイッチパネルＳを形成するにあたっては、屋外側金属板１の両端の略水平部（補強部１８，１９）と屋内側金属板２の両端の略水平部（補強部２２，２４）とを略同じ高さに位置合わせするようにして屋外側金属板１と屋内側金属板２とを対向配置する。次いで、第二凹段部１６の下端と折り返しスカート部１１の上端との間に芯材３を介装させるとともに、第二凹段部１６の上端から下端の間と凸部側壁部１４の上端から下端の間に端部芯材３０を介装させる。屋外側金属板１と屋内側金属板２とを芯材３と端部芯材３０とに接着することによって、屋外側金属板１と屋内側金属板２の間に芯材３と端部芯材３０とを充填したサンドイッチパネルＳが形成される。
【００２４】
以上のようにして形成されるサンドイッチパネルＳの上端部には、屋外側折り返し部１３を屋外側の側壁６０とし、屋内側折り返し部２１を屋内側の側壁６１とする凹部６を備える。そして、サンドイッチパネルＳの下端部には、屋外側金属板１の凸部側壁部１４と屋内側金属板２の凹段部２３とその間の端部芯材３０とで構成される凸部５を備える。このサンドイッチパネルＳでは、凹部６の屋外側の側壁６０の屋内側に被係止用凹部８を備え、凸部５の屋外側に係止用凸部７を備える。ここで、凸部５に充填する端部芯材３０を硬質な芯材とすることで、凸部５の強度を向上させることができ、これにより係止用凸部７の変形を抑制できる。また、凹部６の底部に充填する端部芯材３０を硬質な芯材とすることで、この端部芯材３０を土台とする屋外側折り返し部１３と屋内側折り返し部２１の強度を向上させて、凸部５と凹部６とが嵌まる際に変形しにくくすることができる。
【００２５】
上記のサンドイッチパネルＳを施工するにあたっては、１枚のサンドイッチパネルＳを胴縁等の下地材１００の屋外側面に配置し、第二凹段部１６の底面から釘やビス等の固定具４を打ち込んで、下地材１００にまで貫通する。ここで、サンドイッチパネルＳのうち固定具４を打ち込む箇所に充填する端部芯材３０を硬質な芯材とすることで、サンドイッチパネルＳを下地材１００に対して強固に固定することができる。次に、取り付けたサンドイッチパネルＳの上側から、他のサンドイッチパネルＳを近づけ、上側のサンドイッチパネルＳの凸部５を下側のサンドイッチパネルＳの凹部６に嵌める。この時、上側のサンドイッチパネルＳの折り返しスカート部１１は下側のサンドイッチパネルＳの収納部１５に位置して収納され、下側のサンドイッチパネルＳの屋内側折り返し部２１は上側のサンドイッチパネルＳの収納部２５に位置して収納される。以上のようにして上下に隣接するサンドイッチパネルＳを凸部５と凹部６とが嵌まることにより接続しながら複数枚のサンドイッチパネルＳを縦横に並べて施工することで、外壁を形成できる。なお、固定具４の頭部４０は、頭部収納凹部１７内に納められると共にこの頭部４０は収納部１５に収納された折り返しスカート部１１で覆われるため、屋外側から見えなくできる。また、図示は省略しているが、上側のサンドイッチパネルＳの補強部１９と下側のサンドイッチパネルＳの補強部１８の間、上側のサンドイッチパネルＳの補強部２４と下側のサンドイッチパネルＳの補強部２２の間、及び略水平部７２と側壁６０の上端面との間には、セラミックファイバー等の耐火材や防水パッキンが挟まれる。これにより接続部分の耐火性や水密性を高めることができる。なお、上側のサンドイッチパネルＳの補強部１９と下側のサンドイッチパネルＳの補強部１８の間と、上側のサンドイッチパネルＳの補強部２４と下側のサンドイッチパネルＳの補強部２２の間に挟まれる耐火材は、補強部１９から補強部２４に亘って設けられることが好ましい。
【００２６】
以上のようにして凸部５と凹部６とが嵌まることによって接続されたサンドイッチパネルＳでは、凸部５の屋外側の係止用凸部７と、凹部６の屋外側の側壁６０の屋内側の被係止用凹部８とが、パネル厚み方向に距離をおいて対向している。
【００２７】
この接続状態にあるサンドイッチパネルＳでは、サンドイッチパネルＳは、上端部は固定具４によって下地材１００に固定されているものの、下端部は凸部５と凹部６とが嵌まることによってのみ保持されている。そのため、この接続状態にあるサンドイッチパネルＳに負の風荷重が強くかかると、図２に示すように、上側のサンドイッチパネルＳの下端部の凸部５が、下側のサンドイッチパネルＳの上端部の凹部６に嵌まる位置から屋外側上方へとずれる場合がある。
【００２８】
このように上側のサンドイッチパネルＳの下端部の凸部５が屋外側へとずれる場合に、本実施形態では、図２に示すように、凸部５に設けた係止用凸部７が、凹部６に設けた被係止用凹部８に係止される。これにより、本実施形態では、凸部５が凹部６の屋外側の側壁６０を屋外側へと乗り越えることを抑制でき、接続状態にある２枚のサンドイッチパネルＳの接続が外れてしまうことを抑制できる。なお、上述のように凸部５に充填する端部芯材３０を硬質な芯材とすることで、被係止用凹部８に係止する際の係止用凸部７の変形を抑制できるため、被係止用凹部８に対して係止用凸部７をより確実に係止させることができる。
【００２９】
また、本実施形態においては、凹部６の屋外側の側壁６０の屋内側のうち、上部ではなく下部に被係止用凹部８を設けたことで、ここに係止する係止用凸部７を下部に備えた凸部５が、接続状態にあるサンドイッチパネルＳに負の風荷重が強くかかった場合に、上方へとずれにくい。そのため、凹部６の屋外側の側壁６０のうち、凸部５によって屋外側へ押される箇所が、上方へとずれることを抑制でき、この側壁６０を屋外側に倒す方向にかかるモーメントが大きくなることを抑えることができる。これにより、本実施形態では側壁６０が屋外側へと倒れにくく、接続状態にある２枚のサンドイッチパネルＳの接続がより外れにくくなっている。
【００３０】
なお、本実施形態では、係止用凸部７と被係止用凹部８とは、凸部５と凹部６とが嵌まる位置において、サンドイッチパネルＳの厚み方向にずれて上下に重ならない位置関係となるように形成されている。そのため、鉛直下向きに凸部５を凹部６に嵌め込む際や、鉛直上向きに凹部６から凸部５を引き抜く際に、係止用凸部７が凹部６に引っ掛かりにくい。これにより、本実施形態では、隣接するサンドイッチパネルＳの接続や、位置調整等のための隣接するサンドイッチパネルＳの接続解除を、係止用凸部７に邪魔されることなく、簡単に行うことができる。
【００３１】
続いて、図３に示す第二実施形態のサンドイッチパネルＳの接続構造について説明する。第二実施形態では、補強片９を備えている点でのみ第一実施形態と異なる。なお、図３には、第一実施形態のサンドイッチパネルＳと同じ構成には同じ符号をつけている。
【００３２】
補強片９は、図３（ａ）に示すように、凹部６の屋外側の側壁６０の屋外側面６２に配置されて、側壁６０が屋外側に倒れることを防止する。詳しくは、補強片９は、図３（ａ）及び図３（ｂ）に示すように、第二凹段部１６の屋外側面（底面）に固定される固定板部９０と、屋外側折り返し部１３の屋外側面６２に沿うように配置される抑え板部９１とを備える。固定板部９０と抑え板部９１とは連続して一体に形成されており、固定板部９０には固定具４が挿通される挿通孔９２が設けられている。
【００３３】
補強片９は、固定具４によって固定板部９０が第二凹段部１６の屋外側面に固定されると、抑え板部９１が屋外側折り返し部１３の屋外側面６２の屋外側に位置する。これにより、サンドイッチパネルＳに負の風荷重がかかった際、この補強片９によって凹部６の屋外側の側壁６０が凸部５に押されて屋外側へと倒れることを抑制できる。ここで、側壁６０を屋外側へと倒れにくくしたことで、被係止用凹部８が変形しにくく、被係止用凹部８と係止用凸部７との係止強さを確保できる。また、側壁６０を屋外側へと倒れにくくしたことで、側壁６０が倒れて側壁６０の上下長さが短くなることを防止できるため、凹部６と凸部５との嵌まる深さを確保できる。このように係止強さと嵌まる深さとを確保することで、本実施形態のサンドイッチパネルＳの接続構造では、負の風荷重によって、凸部５と凹部６とが嵌まることにより接続したサンドイッチパネルの接続が外れてしまうことをさらに抑制することができる。
【００３４】
続いて、図４に示す第三実施形態のサンドイッチパネルの接続構造について説明する。第一の実施形態と同じ構成については図中に同じ符号をつけ、異なる構成について詳しく説明する。
【００３５】
第三実施形態のサンドイッチパネルＳでは、上端部に凸部５を備え、下端部に凹部６を備える。そして、凹部６の屋内側の側壁６１の屋外側に係止用凸部７を備え、凸部５の屋内側に被係止用凹部８を備える。
【００３６】
詳しくは、屋外側金属板１は、平板状の化粧面部１０と、化粧面部１０の上端部に連設された凹段部１２と、凹段部１２の上端部に連設された凸部側壁部１４と、化粧面部１０の下端部に連設された折り返しスカート部１１とを備えている。凹段部１２と凸部側壁部１４は、化粧面部１０よりも屋内側に凹んでいる。凹段部１２と凸部側壁部１４の屋外側の空間は、折り返しスカート部１１が収納される収納部１５となっている。また、凹段部１２の上部には、さらに屋内側に凹んだ第二凹段部１６が形成されており、この第二凹段部１６の屋外側の空間は、固定具４の頭部４０が収納される頭部収納凹部１７となっている。
【００３７】
凸部側壁部１４の凹段部１２と連続していない側の端部からは、補強部１８が屋内側に略水平に突出している。また、折り返しスカート部１１の化粧面部１０と連続していない側の端部からは、補強部１９が屋内側に略水平に突出している。
【００３８】
屋内側金属板２は、図４に示すように、平板部２０と、平板部２０の上端部に連設された凹段部２３と、平板部２０の下端部に連設された屋内側折り返し部２１とを備えて形成されている。凹段部２３は平板部２０よりも屋外側に凹んでおり、凹段部２３の屋内側の空間は屋内側折り返し部２１が収納される収納部２５となっている。
【００３９】
凹段部２３の下部には、屋外側に凹んだ被係止用凹部８が形成されている。この凹段部２３の平板部２０と連続していない側の端部からは、補強部２２が屋内側に略水平に突出している。
【００４０】
そして、屋内側折り返し部２１は、平板部２０の下端部から下方に向けて突出し、その先端を屋外側に折り曲げ、その先端を上方に向けて突出させた、折り返し形状のものである。屋内側折り返し部２１は、屋内側ほど下方に位置するように傾斜させた傾斜部７０と、傾斜部７０の下端から屋外側へ突出し、その先端を下側に折り曲げ、その先端を屋内側に向けて突出させた突出部７１とを備えている。つまり、屋内側折り返し部２１の下端部には、屋外側に突出する突出部７１からなる係止用凸部７が形成されている。なお、この屋内側折り返し部２１の平板部２０と連続していない側の端縁からは、屋外側に補強部２４が略水平に突出している。
【００４１】
そして、本実施形態のサンドイッチパネルＳを形成するにあたっては、屋外側金属板１の両端の略水平部（補強部１８，１９）と屋内側金属板２の両端の略水平部（補強部２２，２４）とを略同じ高さに位置合わせするようにして屋外側金属板１と屋内側金属板２とを対向配置する。そして、折り返しスカート部１１の上端よりも上方の箇所Ｈと、第二凹段部１６の下端との間に芯材３を介装させるとともに、凸部側壁部１４の上端から第二凹段部１６の下端までの間と、折り返しスカート部１１の上端からその上方の箇所Ｈまでの間に、端部芯材３０を介装させる。屋外側金属板１と屋内側金属板２とを芯材３と端部芯材３０とに接着することによって、屋外側金属板１と屋内側金属板２の間に芯材３と端部芯材３０とを充填したサンドイッチパネルＳが形成される。
【００４２】
以上のようにして形成されるサンドイッチパネルＳの上端部には、屋外側金属板１の凸部側壁部１４と屋内側金属板２の凹段部２３とその間の端部芯材３０とで構成される凸部５が形成される。そして、サンドイッチパネルＳの下端部には、屋外側金属板１の折り返しスカート部１１を屋外側の側壁６０とし、屋内側折り返し部２１を屋内側の側壁６１とする凹部６が形成される。このサンドイッチパネルＳでは、凹部６の屋内側の側壁６１の屋外側に係止用凸部７を備え、凸部５の屋内側に被係止用凹部８を備える。ここで、凸部５に充填する端部芯材３０を硬質な芯材とすることで、凸部５の強度を向上させることができ、これにより被係止用凹部８の変形を抑制できる。また、凹部６の底部に充填する端部芯材３０を硬質な芯材とすることで、この端部芯材３０を土台とする折り返しスカート部１１と屋内側折り返し部２１の強度を向上させて、凸部５と凹部６とが嵌まる際に変形しにくくすることができる。
【００４３】
上記のサンドイッチパネルＳを施工するにあたっては、１枚のサンドイッチパネルＳを胴縁等の下地材１００の屋外側面に配置し、第二凹段部１６の底面から釘やビス等の固定具４を打ち込んで、下地材１００にまで貫通する。次に、取り付けたサンドイッチパネルＳの上側から、他のサンドイッチパネルＳを近づけ、上側のサンドイッチパネルＳの凹部６に下側のサンドイッチパネルＳの凸部５を嵌める。この時、上側のサンドイッチパネルＳの折り返しスカート部１１は下側のサンドイッチパネルＳの収納部１５に位置して収納され、上側のサンドイッチパネルＳの屋内側折り返し部２１は下側のサンドイッチパネルＳの収納部２５に位置して収納される。以上のようにして上下に隣接するサンドイッチパネルＳを凸部５と凹部６とが嵌まることにより接続しながら複数枚のサンドイッチパネルＳを縦横に並べて施工することで、外壁を形成できる。なお、図示は省略しているが、上側のサンドイッチパネルＳの補強部１９と下側のサンドイッチパネルＳの補強部１８の間、上側のサンドイッチパネルＳの補強部２４と下側のサンドイッチパネルＳの補強部２２の間には、セラミックファイバー等の耐火材や防水パッキンが挟まれる。これにより接続部分の耐火性や水密性を高めることができる。なお、上側のサンドイッチパネルＳの補強部１９と下側のサンドイッチパネルＳの補強部１８の間と、上側のサンドイッチパネルＳの補強部２４と下側のサンドイッチパネルＳの補強部２２の間に挟まれる耐火材は、補強部１９から補強部２４に亘って設けられることが好ましい。
【００４４】
以上のようにして凸部５と凹部６とが嵌まることによって接続されたサンドイッチパネルＳでは、凸部５の屋内側の被係止用凹部８と、凹部６の屋内側の側壁６１の屋外側の係止用凸部７とが、サンドイッチパネルＳの厚み方向に距離をおいて対向している。
【００４５】
この接続状態にあるサンドイッチパネルＳでは、サンドイッチパネルＳは、上端部は固定具４によって下地材１００に固定されているものの、下端部は凸部５と凹部６とが嵌まることによってのみ保持されている。そのため、この接続状態にあるサンドイッチパネルＳに負の風荷重が強くかかると、上側のサンドイッチパネルＳの下端部の凹部６が、下側のサンドイッチパネルＳの上端部の凸部５に嵌まる位置から屋外側上方へとずれる場合がある。
【００４６】
このように凹部６が屋外側へとずれる場合に、本実施形態では、凹部６の屋内側の側壁６１の屋外側に設けた係止用凸部７が、凸部５の屋内側に設けた被係止用凹部８に係止される。これにより、本実施形態では、凹部６の屋内側の側壁６１が凸部５を屋外側へと乗り越えることを抑制でき、接続状態にある２枚のサンドイッチパネルＳの接続が外れてしまうことを抑制できる。なお、上述のように凸部５に充填する端部芯材３０を硬質な芯材とすることで、係止用凸部７が被係止用凹部８に係止する際の被係止用凹部８の変形を抑制できるため、被係止用凹部８に対して係止用凸部７をより確実に係止させることができる。
【００４７】
本実施形態では、係止用凸部７と被係止用凹部８とは、凸部５と凹部６とが嵌まる位置において、パネル厚み方向にずれて上下に重ならない位置関係となるように形成されている。これにより、鉛直下向きに凹部６を凸部５に嵌め込む際や、鉛直上向きに凹部６を凸部５から引き抜く際に、係止用凸部７が凸部５に引っ掛かりにくい。したがって、本実施形態では、隣接するサンドイッチパネルＳの接続や、位置調整等のための隣接するサンドイッチパネルＳの接続解除を、係止用凸部７に邪魔されることなく、簡単に行うことができる。
【００４８】
以上まとめると、第一乃至第三実施形態のサンドイッチパネルの接続構造では、２枚の金属板１，２の間に芯材３を介装したサンドイッチパネルＳの一方の端部に凸部５を設けると共に他方の端部に凹部６を設けている。隣接する２枚のサンドイッチパネルＳを凸部５と凹部６とが嵌まることにより接続する。凸部５または凹部６が嵌まる位置から屋外側にずれた際に係止し合う係止用凸部７と被係止用凹部８のうち、一方を凸部５に設けると共に他方を凹部６に設けている。
【００４９】
このような構成とすることで、凸部５と凹部６とが嵌まることにより接続された２枚のサンドイッチパネルＳに負の風荷重がかかった際に、凸部５または凹部６が嵌まる位置から屋外側にずれると、係止用凸部７と被係止用凹部８とが係止し合う。このように負の風荷重がかかった場合に凸部５と凹部６とが係止によって引っ掛かるようにしたことで、凸部５が凹部６を、もしくは凹部６が凸部５を屋外側に乗り越えることを抑制でき、凸部５と凹部６とが嵌まることによる接続が外れにくくなっている。
【００５０】
また、第二実施形態のサンドイッチパネルＳの接続構造では、凹部６の屋外側の側壁６０の屋外側面６２に、この側壁６０が屋外側に倒れることを防止するための補強片９を取り付けている。
【００５１】
このような構成とすることで、凸部５と凹部６とが嵌まることにより接続された隣接する２枚のサンドイッチパネルＳに負の風荷重がかかった際に、凸部５が凹部６の屋外側の側壁６０を屋外側に押し倒そうとした場合に、補強片９によって側壁６０が屋外側に倒れることを防止できる。このように凹部６の屋外側の側壁６０を屋外側へと倒れにくいようにすることで、凸部５と凹部６にそれぞれ設けた係止用凸部７と被係止用凹部８が、強く係止し合うことを促進できる。また、凹部６と凸部５との嵌まる深さが浅くなることも抑制できる。このように係止強さを確保するとともに凹部６と凸部５との嵌まる深さを確保することによって、第二実施形態のサンドイッチパネルの接続構造では、凸部５が凹部６の屋外側の側壁６０を屋外側へと乗り越えることをより抑制できて、凸部５と凹部６とが嵌まることによる接続がさらに外れにくくなっている。
【００５２】
なお、係止構造（係止用凸部及び被係止用凹部）は、凸部と凹部とが嵌まることにより接続するサンドイッチパネルの凸部と凹部のうち、負の風荷重がかかった際に接触する箇所に設ければよく、凸部と凹部の形状に合わせて、係止構造を設ける箇所は多様に変更できる。
【００５３】
以上、本発明を添付図面に示す実施形態に基づいて説明したが、本発明は上記の各実施形態に限定されるものではなく、本発明の意図する範囲内であれば、適宜の設計変更が可能である。
【符号の説明】
【００５４】
１      金属板（屋外側金属板）
２      金属板（屋内側金属板）
３      芯材
５      凸部
６      凹部
７      係止用凸部
８      被係止用凹部
９      補強片
６０    側壁
【図１】
0006013747.tif 000002
【図２】
0006013747.tif 000003
【図３】
0006013747.tif 000004
【図４】
0006013747.tif 000005
【図５】
0006013747.tif 000006